【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
布押えまたはボタン取付部を前後方向に移動する前後送りカムと、前記布押えまたはボタン取付部を左右方向に移動する左右送りカムと、を備えるサイクルミシンにおいて、
前記前後送りカム及び左右送りカムのうち少なくとも一方のカムが異なるカムプロフィルを有する複数のカム部を有すると共に、
該複数のカム部を選択的に切換可能とする切換手段を設けたこと、
を特徴とするサイクルミシンの送り装置。
【請求項２】
前記複数のカム部により複数のボタン付けの縫い目形状を切換可能としたこと、
を特徴とする請求項１に記載のサイクルミシンの送り装置。
【請求項３】
前記切換手段が回動操作可能な送り調節部材であると共に、
前記複数のカム部にそれぞれ係合して互いに独立して揺動する複数の揺動部材を備え、
前記複数の揺動部材が、前記送り調節部材にそれぞれ係合可能で該送り調節部材の回動中心を中心とする円弧状のガイド部を各々有すること、
を特徴とする請求項１または請求項２に記載のサイクルミシンの送り装置。
【請求項４】
前記複数の揺動部材の円弧状のガイド部の端部に跨って係合する位置に前記送り調節部材が来た時は、前記送り調節部材への前記揺動部材の揺動の伝達を遮断する遮断手段を備えたこと、
を特徴とする請求項３に記載のサイクルミシンの送り装置。
【請求項５】
前記円弧状のガイド部の端部に跨って係合する位置に前記送り調節部材が来た時は、ミシンの運転を阻止する規制手段を備えたこと、
を特徴とする請求項３に記載のサイクルミシンの送り装置。
【請求項６】
前記複数の揺動部材のうち少なくとも１つの揺動部材の揺動中心は、前記ガイド部と同一の円弧上にあること、
を特徴とする請求項３から請求項５の何れかに記載のサイクルミシンの送り装置。
【請求項７】
前記複数の揺動部材が各々有する前記ガイド部は、ミシンのスタート前に前記送り調節部材の回動中心を中心とする連続した円弧上に位置すること、
を特徴とする請求項３から請求項６の何れかに記載のサイクルミシンの送り装置。
【請求項８】
前記前後送りカム及び左右送りカムは、同軸上に固定されていること、
を特徴とする請求項１から請求項７の何れかに記載のサイクルミシンの送り装置。
【請求項９】
１つのカム部を有する前記左右送りカムと、
ボタン付けの縫い目形状でコの字縫い及びＸ縫いのそれぞれに対応するカム部を有する２つの前記前後送りカムと、
該２つの前後送りカムに係合して揺動すると共に、前記ガイド部を各々有する２つの前記揺動部材と、
該２つの揺動部材のガイド部に選択的に係合する前記送り調節部材と、
を備えること、
を特徴とする請求項３から請求項８の何れかに記載のサイクルミシンの送り装置。
【手続補正２】
【補正対象書類名】明細書
【補正対象項目名】０００７
【補正方法】変更
【補正の内容】
【０００７】
【課題を解決するための手段】
以上の課題を解決すべく請求項１に記載の発明は、
布押えまたはボタン取付部を前後方向に移動する前後送りカムと、
前記布押えまたはボタン取付部を左右方向に移動する左右送りカムと、を備えるサイクルミシンの送り装置であって、
前記前後送りカム及び左右送りカムのうち少なくとも一方のカムが異なるカムプロフィルを有する複数のカム部を有する構成、
例えば、前後送りカムがコの字縫い用とＸ縫い用の２つのカム溝を有する等、と共に、
該複数のカム部を選択的に切換可能とする、例えば、レバー操作やカム位置切換やコロ切換やガイド部切換等による切換手段を設けた構成、
を特徴としている。
ここで、サイクルミシンとしては、ボタン取付部を左右送り及び前後送りするボタン付けミシンの他、布押さえをＸ（左右）−Ｙ（前後）送りして１縫製サイクルを行うもの全てが含まれる。


【手続補正３】
【補正対象書類名】明細書
【補正対象項目名】０００８
【補正方法】変更
【補正の内容】
【０００８】
このように、サイクルミシンに備える前後送りカム及び左右送りカムのうち少なくとも一方のカムが異なるカムプロフィルを有する複数のカム部を有する送り装置なので、その複数のカムを切換操作することで、縫い目が変えられる。
しかも、複数のカム部を選択的に切換可能とする切換手段を備える送り装置なので、切換手段により任意のカム部を選択して切り換えるだけの簡単な操作によって縫い目が変えられる。
従って、従来のように面倒な交換作業を必要とせずに、縫い目の変更に応じてカムの切換が容易に行えるようになる。


【手続補正４】
【補正対象書類名】明細書
【補正対象項目名】０００９
【補正方法】変更
【補正の内容】
【０００９】
請求項２に記載の発明は、
請求項１に記載のサイクルミシンの送り装置であって、
前記複数のカム部により複数のボタン付けの縫い目形状を、例えば、コの字縫い用とＸ縫い等に切換可能とするようにした構成、
を特徴としている。


【手続補正５】
【補正対象書類名】明細書
【補正対象項目名】００１０
【補正方法】変更
【補正の内容】
【００１０】
このように、請求項１に記載の複数のカム部により複数のボタン付けの縫い目形状を切換可能としたので、従来は面倒な交換作業なしには不可能であったボタン付けの縫い目形状の変更が、例えば、コの字縫い用とＸ縫い等の切換操作により簡単に行えるようになる。


【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項３に記載の発明は、
請求項１または請求項２に記載のサイクルミシンの送り装置であって、
前記切換手段が回動操作可能な送り調節部材、例えば、送り調節レバーであると共に、
前記複数のカム部にそれぞれ係合して互いに独立して揺動する複数の揺動部材、例えば、２つの揺動腕を備え、
前記複数の揺動部材が、前記送り調節部材に、例えば、凹状部を有する駒によりそれぞれ係合可能で該送り調節部材の回動中心を中心とする円弧状のガイド部を各々有する構成、
を特徴としている。


【手続補正９】
【補正対象書類名】明細書
【補正対象項目名】００１４
【補正方法】変更
【補正の内容】
【００１４】
このように、請求項１または請求項２に記載の複数のカム部にそれぞれ係合する複数の揺動部材が、切換手段である回動操作可能な送り調節部材にそれぞれ係合して、その回動中心を中心とする円弧状のガイド部を各々有する送り装置なので、複数のカム部にそれぞれ係合する複数の揺動部材が各々有する円弧状のガイド部にそれぞれ係合した状態で、送り調節部材を縫い目変更に伴うカム部切換のためにワンタッチで回動操作できる。


【手続補正１０】
【補正対象書類名】明細書
【補正対象項目名】００１５
【補正方法】変更
【補正の内容】
【００１５】
請求項４に記載の発明は、
請求項３に記載のサイクルミシンの送り装置であって、
前記複数の揺動部材の円弧状のガイド部の端部に跨って係合する位置に前記送り調節部材が来た時は、前記送り調節部材への前記揺動部材の揺動の伝達を遮断する遮断手段を備えた構成、
例えば、両ガイド部の端部とその係合駒との間に遊びを設けたり、揺動部材の揺動吸収機構を設けたり等、
を特徴としている。


【手続補正１１】
【補正対象書類名】明細書
【補正対象項目名】００１６
【補正方法】変更
【補正の内容】
【００１６】
このように、請求項３に記載の両ガイド部の端部に跨って係合する位置に送り調節部材が来た時は、送り調節部材への揺動部材の揺動の伝達を遮断する遮断手段を備える送り装置なので、両ガイド部の端部に跨って送り調節部材が係合した中立状態では、遮断手段により、送り調節部材への揺動部材の揺動の伝達が遮断される。
従って、両ガイド部の端部に跨った送り調節部材の中立状態において、送りが不作動状態になる。


【手続補正１２】
【補正対象書類名】明細書
【補正対象項目名】００１７
【補正方法】変更
【補正の内容】
【００１７】
請求項５に記載の発明は、
請求項３に記載のサイクルミシンの送り装置であって、
前記円弧状のガイド部の端部に跨って係合する位置に前記送り調節部材が来た時は、ミシンの運転を阻止する規制手段を備えた構成、
例えば、遮断軸に設けた規制部材を、両ガイド部の端部に跨って係合する凹状部を有する駒に干渉させることにより、遮断軸の遮断解除方向への回動を阻止する等、
を特徴としている。


【手続補正１３】
【補正対象書類名】明細書
【補正対象項目名】００１８
【補正方法】変更
【補正の内容】
【００１８】
このように、請求項３に記載の円弧状のガイド部の端部に跨って係合する位置に送り調節部材が来た時は、ミシンの運転を阻止する規制手段を備える送り装置なので、両ガイド部の端部に跨って送り調節部材が係合した中立状態では、規制手段により、ミシンの運転が阻止される。
従って、両ガイド部の端部に跨った送り調節部材の中立状態において、ミシンが運転不能状態になる。


【手続補正１４】
【補正対象書類名】明細書
【補正対象項目名】００１９
【補正方法】変更
【補正の内容】
【００１９】
請求項６に記載の発明は、
請求項３から請求項５の何れかに記載のサイクルミシンの送り装置であって、
前記複数の揺動部材のうち少なくとも１つの揺動部材の揺動中心は、前記ガイド部と同一の円弧上にあるようにした構成、
を特徴としている。


【手続補正１５】
【補正対象書類名】明細書
【補正対象項目名】００２０
【補正方法】変更
【補正の内容】
【００２０】
このように、請求項３から請求項５の何れかに記載の複数の揺動部材のうち少なくとも１つの揺動部材の揺動中心がガイド部と同一の円弧上にある送り装置なので、揺動中心がガイド部と同一の円弧上にある揺動部材に対して、その揺動中心上に送り調節部材が位置している状態では、揺動部材の揺動幅がゼロとなり、送りの不作動点となる。


【手続補正１６】
【補正対象書類名】明細書
【補正対象項目名】００２１
【補正方法】変更
【補正の内容】
【００２１】
請求項７に記載の発明は、
請求項３から請求項６の何れかに記載のサイクルミシンの送り装置であって、  前記複数の揺動部材が各々有する前記ガイド部は、ミシンのスタート前に前記送り調節部材の回動中心を中心とする連続した円弧上に位置するようにした構成、
を特徴としている。


【手続補正１７】
【補正対象書類名】明細書
【補正対象項目名】００２２
【補正方法】変更
【補正の内容】
【００２２】
このように、請求項３から請求項６の何れかに記載の複数の揺動部材が各々有するガイド部がミシンのスタート前に送り調節部材の回動中心を中心とする連続した円弧上に位置する送り装置なので、ミシンのスタート前において、複数の揺動部材が各々有する、送り調節部材の回動中心を中心とする連続した円弧上に位置するガイド部に係合する送り調節部材を回動操作して、任意のカム部の選択により縫い目を切り換えられる。


【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
請求項８記載の発明は、
請求項１から請求項７の何れかに記載のサイクルミシンの送り装置であって、  前記前後送りカム及び左右送りカムは、同軸上に固定されている構成、
を特徴としている。


【手続補正２１】
【補正対象書類名】明細書
【補正対象項目名】００２６
【補正方法】変更
【補正の内容】
【００２６】
このように、請求項１から請求項７の何れかに記載の前後送りカム及び左右送りカムが同軸上に固定されている送り装置なので、同軸上に固定された前後送りカム及び左右送りカムの少なくとも一方が有する複数のカム部のうち任意のカム部を、同軸上において、縫い目変更のために選択して切り換えられる。


【手続補正２２】
【補正対象書類名】明細書
【補正対象項目名】００２７
【補正方法】変更
【補正の内容】
【００２７】
請求項９に記載の発明は、
請求項３から請求項８の何れかに記載のサイクルミシンの送り装置であって、
１つのカム部を有する前記左右送りカムと、
ボタン付けの縫い目形状でコの字縫い及びＸ縫いのそれぞれに対応するカム部を有する２つの前記前後送りカムと、
該２つの前後送りカムに係合して揺動すると共に、前記ガイド部を各々有する２つの前記揺動部材と、
該２つの揺動部材のガイド部に選択的に係合する前記送り調節部材と、
を備える構成、
を特徴としている。


【手続補正２３】
【補正対象書類名】明細書
【補正対象項目名】００２８
【補正方法】変更
【補正の内容】
【００２８】
このように、請求項３から請求項８の何れかに記載のサイクルミシンであって、１つのカム部を有する左右送りカムと、ボタン付けの縫い目形状でコの字縫い及びＸ縫いのそれぞれに対応するカム部を有する２つの前後送りカムと、該２つの前後送りカムに係合して揺動すると共に、ガイド部を各々有する２つの揺動部材と、該２つの揺動部材のガイド部に選択的に係合する送り調節部材と、を備える送り装置なので、２つの前後送りカムの各カム部にそれぞれ係合する２つの揺動部材のガイド部に係合する送り調節部材を回動操作することにより、任意のカム部を選択して切り換えることで、ボタン付けの際のコの字縫いとＸ縫いとに切り換えられる。


【手続補正２４】
【補正対象書類名】明細書
【補正対象項目名】００６１
【補正方法】変更
【補正の内容】
【００６１】
【発明の効果】
以上のように、請求項１に記載の発明に係るサイクルミシンの送り装置によれば、前後送りカム及び左右送りカムのうち少なくとも一方のカムが異なるカムプロフィルを有する複数のカム部を有しているため、その複数のカムを切換操作することによって、縫い目を変えることができる。
しかも、複数のカム部を選択的に切換可能とする切換手段を備えたため、切換手段により任意のカム部を選択して切り換えるだけの簡単な操作によって縫い目を変えることができる。
従って、従来のように面倒な交換作業を必要とせずに、縫い目の変更に応じてカムの切換を容易に行うことができるようになる。


【手続補正２５】
【補正対象書類名】明細書
【補正対象項目名】００６２
【補正方法】変更
【補正の内容】
【００６２】
請求項２に記載の発明に係るサイクルミシンの送り装置によれば、複数のカム部により複数のボタン付けの縫い目形状を切換可能としたため、請求項１に記載の発明により得られる効果に加えて、従来は面倒な交換作業なしには不可能であったボタン付けの縫い目形状の変更を、例えば、コの字縫い用とＸ縫い等の切換操作によって、簡単に行うことができるようになるといった利点が得られる。


【手続補正２６】
【補正対象書類名】明細書
【補正対象項目名】００６３
【補正方法】削除
【補正の内容】
【手続補正２７】
【補正対象書類名】明細書
【補正対象項目名】００６４
【補正方法】変更
【補正の内容】
【００６４】
請求項３に記載の発明に係るサイクルミシンの送り装置によれば、複数のカム部にそれぞれ係合する複数の揺動部材が、切換手段である回動操作可能な送り調節部材にそれぞれ係合して、その回動中心を中心とする円弧状のガイド部を各々有しているため、請求項１または請求項２に記載の発明により得られる効果に加えて、複数のカム部にそれぞれ係合する複数の揺動部材が各々有する円弧状のガイド部にそれぞれ係合した状態で、送り調節部材を縫い目変更に伴うカム部切換のためにワンタッチで回動操作することができるといった利点が得られる。
従って、縫い目変更をワンタッチ操作により簡単に行うことができる。


【手続補正２８】
【補正対象書類名】明細書
【補正対象項目名】００６５
【補正方法】変更
【補正の内容】
【００６５】
請求項４に記載の発明に係るサイクルミシンの送り装置によれば、両ガイド部の端部に跨って係合する位置に送り調節部材が来た時は、送り調節部材への揺動部材の揺動の伝達を遮断する遮断手段を備えたため、請求項３に記載の発明により得られる効果に加えて、両ガイド部の端部に跨って送り調節部材が係合した中立状態においては、遮断手段によって、送り調節部材への揺動部材の揺動の伝達を遮断することができるといった利点が得られる。
従って、両ガイド部の端部に跨った送り調節部材の中立状態では、送りを不作動状態にすることができる。


【手続補正２９】
【補正対象書類名】明細書
【補正対象項目名】００６６
【補正方法】変更
【補正の内容】
【００６６】
請求項５に記載の発明に係るサイクルミシンの送り装置によれば、両ガイド部の端部に跨って係合する位置に送り調節部材が来た時は、ミシンの運転を阻止する規制手段を備えたため、請求項３に記載の発明により得られる効果に加えて、両ガイド部の端部に跨って送り調節部材が係合した中立状態においては、規制手段によって、ミシンの運転を阻止することができるといった利点が得られる。
従って、両ガイド部の端部に跨った送り調節部材の中立状態では、ミシンを運転不能状態にすることができる。


【手続補正３０】
【補正対象書類名】明細書
【補正対象項目名】００６７
【補正方法】変更
【補正の内容】
【００６７】
請求項６に記載の発明に係るサイクルミシンの送り装置によれば、複数の揺動部材のうち少なくとも１つの揺動部材の揺動中心がガイド部と同一の円弧上にあるため、請求項３から請求項５の何れかに記載の発明により得られる効果に加えて、揺動中心がガイド部と同一の円弧上にある揺動部材に対して、その揺動中心上に送り調節部材が位置している状態では、揺動部材の揺動幅がゼロとなることから、送りの不作動点とすることができるといった利点が得られる。


【手続補正３１】
【補正対象書類名】明細書
【補正対象項目名】００６８
【補正方法】変更
【補正の内容】
【００６８】
請求項７に記載の発明に係るサイクルミシンの送り装置によれば、複数の揺動部材が各々有するガイド部がミシンのスタート前に送り調節部材の回動中心を中心とする連続した円弧上に位置するため、請求項３から請求項６の何れかに記載の発明により得られる効果に加えて、ミシンのスタート前において、複数の揺動部材が各々有する、送り調節部材の回動中心を中心とする連続した円弧上に位置するガイド部に係合する送り調節部材を回動操作して、任意のカム部の選択により縫い目を切り換えることができるといった利点が得られる。


【手続補正３２】
【補正対象書類名】明細書
【補正対象項目名】００６９
【補正方法】削除
【補正の内容】
【手続補正３３】
【補正対象書類名】明細書
【補正対象項目名】００７０
【補正方法】変更
【補正の内容】
【００７０】
請求項８に記載の発明に係るサイクルミシンの送り装置によれば、前後送りカム及び左右送りカムが同軸上に固定されているため、請求項１から請求項７の何れかに記載の発明により得られる効果に加えて、同軸上に固定された前後送りカム及び左右送りカムの少なくとも一方が有する複数のカム部のうち任意のカム部を、同軸上において、縫い目変更のために選択して切り換えることができるといった利点が得られる。


【手続補正３４】
【補正対象書類名】明細書
【補正対象項目名】００７１
【補正方法】変更
【補正の内容】
【００７１】
請求項９に記載の発明に係るサイクルミシンの送り装置によれば、特に、ボタン付けの縫い目形状でコの字縫い及びＸ縫いのそれぞれに対応するカム部を有する２つの前後送りカムと、該２つの前後送りカムに係合して揺動すると共に、ガイド部を各々有する２つの揺動部材と、を備えたため、請求項３から請求項８の何れかに記載の発明により得られる効果に加えて、２つの前後送りカムの各カム部にそれぞれ係合する２つの揺動部材のガイド部に係合する送り調節部材を回動操作することにより、任意のカム部を選択して切り換えることで、ボタン付けの際において、コの字縫いとＸ縫いとに切り換えることができるといった利点が得られる。